(57)【要約】【課題】携帯や収納が簡便で、紙面上の守秘に必要な部分だけを簡単に微塵切りに出来る使い易い鋏を提供する。【解決手段】鋏を構成する部材を複数積重ね、それらの支点を共通にして結合する事により、支点軸を中心に複数組の刃が揃って開閉するため、一回の操作で複数本の帯状の切込みを行う事ができる。この操作を紙面の隠滅したい部分について互いに直行する方向に行う事により、その部分を微塵切りにする事が出来る。【選択図】図１
2005319228.tif 000002
【特許請求の範囲】
【請求項１】
刃身，支点、把部よりなる一枚の構成部材を、支点軸部を共有することにより複数枚積み重ねて構成される鋏。
【請求項２】
複数組積重ねられる構成部材は２枚一組であり、刃が形成される面は前記組ごとに刃身の反対の面になっている、つまり右手用の鋏の刃身と左手用の鋏の刃身を交互に積み重ねた構造のため、刃を形成しない面が背中合わせになっている請求項１の鋏。
【請求項３】
前記構成部材のうち、両端以外の構成部材は、各刃身につき表裏両面に刃を持つ請求項１または２の鋏。
【発明の詳細な説明】
【発明の詳細な説明】
【発明の所属する技術分野】
【０００１】本発明は多連装された刃により，一回の切断動作で複数の帯状切込みを形成し、さらにこの動作を直行する方向にも行うことにより、守秘したい記録部分をモザイク状に裁断するためのものである。
【背景技術】
【０００２】従来、秘密書類を裁断処理するには、シュレッダーという箱型の器具が用いられたが、小型のものでも筆箱に入れて持運ぶ程簡単ではなかった。封筒の宛名やクレジットカード伝票の会員番号など、その情報が記載された紙面のごく一部を裁断すれば良い場合が多く、その場合には紙全体を裁断する箱型シュレッダーは過剰である。
このような考えに基づいた多連鋏の発想は従来にも存在したが（特開平１０−１１８３５５「紙切り鋏」）、切屑が内層の刃に挟まったり付着した場合の手入れがしにくい。
また、目的は異なるが類似した構造を持つものとして実願平５−１４９９６「紙吹雪作成用鋏」もあるが、いずれの先行考案も、連装した構成要素を結合する手段が支点軸と別に必要、またその結合手段の剛性が確保されないと使い心地が悪くなるなどの問題が予想される。
また、守秘性を高めるために細かく切れるよう、構成部材の間隔を狭めると、刃の裏側同士の擦れ合いが起き、その間に紙片が鋏まれるので、操作が重くなる、紙片が捩れる、切断片が構成部材に押付けられて付着するなどの問題が起こる。
【発明が解決しようとする課題】
【０００３】携帯や収納に便利な小型の微塵切り裁断用鋏で、構造が簡単で剛性が高いので使い心地が良く、刃に挟まったり付着した切片の除去や汚れの掃除が簡単に出来、多連装のうち一組の刃を使用することも容易である鋏を提供することである。
【課題を解決するための手段】
【０００４】刃身部と把部からなり、両者の間に支点をもつ鋏の構成部材を、支点を共通にして積重ね、構成部材がそろって開閉することも、ばらばらに開閉することも出来る多連鋏を構成する。
【発明を実施するための最良の形態】
【０００５】鋏を構成する部材１００１ａ，１００１ｂ，１００２ａ，１００２ｂ，１００３ａ，１００３ｂを積重ね、共通の支点軸１００４を合わせて軸棒１００５により結合する（図１）。これらの構成部材は共通の支点軸１００４を中心に開閉運動が可能であり、把部に指を通して開閉操作を行うと刃身部は同時に開閉して、一度に３本の切れ目を入れることが出来る。従来の鋏と比べて特に付加する結合手段はないので、従来の鋏の構成部材をそのまま用いることも出来る。各構成部材は支点で結合されるため、剛性を確保し易く、厚い紙や、重ねた紙を裁断する場合も、力をかけやすく使い心地が良い。【０００６】一組の刃だけを使用する場合は、図２のように一組の構成部材（例えば１００３ａと１００３ｂ）だけを他の構成部材からずらした角度にすると、通常の鋏のようにして使う事が出来る。図３のように、紙面全体３００１の中からまず微塵切りにしたい部分３００５を切出すときなどに便利である。始めに周囲を矢印３００２〜３００３に沿って切ると、文字部分だけが帯状に垂れ下がる。次に全ての構成部材をそろえて、その帯状部分に水平方向に切れ目を入れる。さらに、端から垂直方向に何回か切れ目を入れて行くと、図の文字部分は端から順次微塵切りに切り落とされて行く。このように、能率的に必要部分だけを微塵切りにする。【０００７】微塵切りにされた紙片が刃の間に挟まったり、粘着ラベル紙の断片や粘着性の汚れなどの付着などがおきた場合は、図４のように内部の刃身をばらばらにずらして露出させることが出来るので、手入れがし易い。従来の考案における構成部材の連結方法では、このように簡単に内部の各刃面を露出させることは簡単ではなかった。【０００８】本発明は前記のような便利さを持つが、そのために普段の使用時にも刃身がばらばらにずれると、それらを揃えてから使わなければならなく、手間がかかる場合がある。そこで、請求項２のように刃を閉じた位置を規制する手段をもつ。これは、従来の鋏にも備えられているのもであり、刃を閉じたきった位置で回転が止まり、それ以上逆方向に回る事を規制する。このような手段の一例を図５、図６に示す。
第５図に示すように、外側の構成要素の組の把部の指通しの内面を覆うように、樹脂製の輪５００１ａ、５００２ｂが嵌め込まれている。図６は、積重ねられた構成部材を把部の後方から見た図であり、全ての構成要素は閉じきった状態にある。外側の構成要素の組１００１ａと１００１ｂ、１００３ａと１００３ｂ、の夫々の把部の指通しの内面を覆うように、樹脂製の輪５００１ａ、５００２ｂ、５００３ａ、５００３ｂが嵌め込まれている。この輪が構成部材本体表面より盛上がった部分と構成部材の把部とが、６００１、６００２、６００３、６００４の各部でそれぞれ突当たり、刃を閉じきった位置を過ぎて回転することを防ぐ。
また、この輪は指が指通し内側の金属の角に直接接触することを防ぎ、使い心地を良くする役目も果たす。【０００９】従来の鋏のような片刃の組合せで構成した刃身の断面を図７に示す。７００６を切断しようとする紙面とし、矢印の方向に刃身が閉じることにより切断を行う。ここで刃身の刃のついた面同士の７００３，７００４，７００５では切断が行われるが、７００１、７００２部分では刃身の背部分（刃がついてない側）同士なので切断がなされず、刃身の背同士が擦れ合うため、切断片が捻じれて挟み込まれる、切断操作が重くなる、切断片が付着するなどの原因になる。【００１０】これに対し、図８のように刃身に刃をつける面を互い違いに組合わせると、刃身の背同士が擦れ合うことがない（請求項２）。実は、外側の２組の刃身１００１ａ，１００１ｂ，１００３ａ，１００３ｂは右手用鋏、中央の２組８００２ａ，８００２ｂの刃身は左手用鋏に相当する。これに対し図７はすべて右手用の鋏の刃身である。右手用鋏、左手用鋏とは、其々、利き手で持った場合、身体の外側が上の刃身となる。
図８においては、刃身１００１ｂと８００２ｂ、１００３ａと１００３ｂの背どおしは背中合わせに貼付けられたように動き擦れ合う事はない。従って切断片がねじれて挟み込まれる、切断操作が重くなる、切断片が付着するなどの問題を起こさない。切断される帯状の幅は図７の場合と同じで、刃身二枚分の厚さに相当する。刃身が３組６枚であれば一回で３本の切込みを入れる事が出来る。
右手用の鋏と左手用鋏を同じデザインで量産している場合、部品や金型、加工治具などをそのまま流用して本発明の多連鋏を生産する事が出来、コストや生産管理上多くの利点がある。【００１１】図９は内部の構成部材の両側に刃をつけた例であり、切断片をより細かにすることが出来、機密性が向上する（請求項３）。切断される帯状の幅は刃身一枚分の厚さに相当し、刃身が３組６枚であれば一回で５本の切込みを入れる事が出来る。
【発明の効果】
【００１２】本発明の多連鋏は、構成部材が揃って開閉することも、ばらばらに開閉することも出来るので、一組の構成部材を開閉させて隠滅部分に切り進む、全ての構成部材を揃えて開閉させて隠滅部分を微塵切りにする、構成部材をばらばらに開いて刃身面の掃除をする等が簡単に行える。また、構成が単純で剛性の高い多連鋏を実現する。
【図面の簡単な説明】
【図１】本発明の構成全体。
【図２】構成部材のうち、一組のみを開閉させる場合。
【図３】隠滅したい部分へ切り進んでからその部分を微塵切りにする手順の説明。
【図４】全ての構成部材をばらばらに開いた状態。
【図５】把部の指通し穴内部に嵌める輪
【図６】構成部材の組の逆回りを防ぐため、閉じたきった位置で回転を規制する把部の構造。
【図７】片刃の噛合せ断面。
【図８】右手用鋏と左手用鋏を交互に組合わせた例。
【図９】両刃（各刃身の両面に刃をつけたもの）の噛合せ断面。
【符号の説明】
１００１ａ、１００１ｂ、１００２ａ、１００２ｂ、１００３ａ、１００３ｂ  構成部材
１００４  支点軸
１００５  軸棒
３００１  微塵切りにしたい部分を含む紙全体
３００２〜３００４  微塵切りにしたい部分の周囲
３００５  微塵切りにしたい部分
５００１ａ，５００１ｂ，５００３ａ，５００３ｂ  指通しに内接する樹脂製の輪
６００１〜６００４  逆開き防止のための突き当て点
７００１，７００２  紙が切断されずに捩じれて挟み込まれる紙面上の位置
７００３〜７００５  切断される紙面上の位置
７００６  切断される紙面
【図１】
2005319228.tif 000003
【図２】
2005319228.tif 000004
【図３】
2005319228.tif 000005
【図４】
2005319228.tif 000006
【図５】
2005319228.tif 000007
【図６】
2005319228.tif 000008
【図７】
2005319228.tif 000009
【図８】
2005319228.tif 000010
【図９】
2005319228.tif 000011